(57)【要約】【課題】自然界で作り出される特有の形状が表現できて斬新さがあり、しかも、自然の良さが発揮されて体に良く馴染み、心地よい使用感ややすらぎが得られ、また、周囲で見る人にもやすらぎが与えられる身飾品用の貴金属製品を提供する。【解決手段】鋳造品からなる身飾品用の貴金属製品１であって、小石、貝、木の実等の自然界から採集された堅牢な採集物Ｓを原型とし、この原型によって前記採集物Ｓと同一の形状に成形される。前記採集物Ｓとしては、例えば砂浜や河原に落ちている小石、貝または山に落ちている木の実、小枝など貴金属製品１として適度な大きさであり、比較的硬い素材のものが選ばれる。【選択図】　図２
0003098178.tif 000002
【実用新案登録請求の範囲】
【請求項１】
鋳造品からなる身飾品用の貴金属製品であって、小石、貝、木の実等の自然界から採集された堅牢な採集物を原型とし、この原型によって前記採集物と同一の形状に成形した身飾品用の貴金属製品。
【考案の詳細な説明】
【０００１】
【考案の属する技術分野】
本考案は、鋳造品からなる貴金属製品であって、小石、貝、木の実等の自然界から採集された堅牢な採集物を原型とし、この原型によって前記採集物と同一の形状に成形した身飾品用の貴金属製品に関するものである。
【０００２】
【従来の技術】
従来、例えば、ペンダント、ブローチ等の身飾品用として成形される金，銀、白金等の貴金属製品は、まずデザイナーが頭で考えたものを図面に描き、この図を元に立体化することにより原型を製作し、この原型を元に鋳造して貴金属製品を成形するようにしている（特許文献１参照。）。
【０００３】
【特許文献１】
実開平５−２８２１６号公報（第１−２頁、　図１）
【０００４】
【考案が解決しようとする課題】
しかしながら、前記特許文献１に係る貴金属製品は、その原型が加工を施して人為的に製作されており、見慣れた幾何学的な形状が多くてマンネリ化している。このため、斬新さに欠け、しかも、装飾性を重視する傾向が強いことから、身体に付けた感じがしっくり馴染まず、心地よい使用感が得られにくいという課題があった。
【０００５】
そこで、本考案は上記課題に鑑みてなされたもので、小石、貝、木の実等の自然界から採集された堅牢な採集物を原型とし、この採集物と同一の形状をなす鋳造品を成形することにより、自然界で作り出される特有の形状が表現できて斬新さがあり、しかも、身体に付けることにより自然の良さが発揮されて体に良く馴染み、心地よい使用感ややすらぎが得られ、また周囲で見る人にもやすらぎが与えられるようにした身飾品用の貴金属製品を提供することを目的とするものである。
【０００６】
【課題を解決するための手段】
かかる目的を達成するため、本考案に係る身飾品用の貴金属製品は、鋳造品からなる貴金属製品であって、自然界から採集された堅牢な採集物を原型とし、この原型によって前記採集物と同一の形状に成形される。前記採集物としては、例えば砂浜や河原に落ちている小石、貝または山に落ちている木の実、小枝など貴金属製品として適度な大きさであり、原型として支障なくそのまま使用できる程度の硬さを有する素材が選ばれる。また、このようにして成形された貴金属製品は、例えばペンダント、ブローチ、指輪、イヤリング等の身飾品に使用される。
【０００７】
【考案の実施の形態】
以下に本考案に係る身飾品用の貴金属製品の実施の形態を図面に基ずき説明する。本考案で使用する原型は、例えば砂浜や河原に落ちている小石、貝または山に落ちている木の実、小枝など自然界から採集される堅牢な採集物そのものであって、しかも身飾品用の貴金属製品として適度な大きさのものが選ばれる。本実施の形態では、その内、砂浜に落ちている小石について説明する。この小石は、一般に波に洗われて丸みを有し人工的に成形したものでない自然界特有の形状を成している。前記採集物は、原型として形状が変形せず、そのまま使用できる程度の硬さを有すればよく、自然界で採取されるものであれば前記小石、貝、木の実以外のものであってもよい。
【０００８】
図１は本考案が適用されるペンダントの斜視図である。このペンダントＡは鋳造品として成形される貴金属製品１と該貴金属製品１を吊り下げるための鎖２とから構成される。貴金属製品１は金、銀、白金等の貴金属を用いて図２に示すように自然界から採集された小石Ｓを原型として成形されている。この貴金属製品１は、前記小石Ｓと同一形状に成形されており、正面から見て略楕円形状を成すと共に左右非対称であって、その外周縁は上部よりも下部の方が大径の弧を有するようになっている。
【０００９】
そして、図３に示すように貴金属製品１の上部に横孔３が貫設され、該横孔３に鎖２が挿通されている。鎖２は、首に掛けられる程度の長さを有し、両端部に互いに掛け止めする掛止環４と掛止部材５が設けられている。また、前記貴金属製品１には、表面一個所に凹欠部６が穿設され、該凹欠部６に一個のダイヤモンド７が前側から見られるようにして埋設されている。
【００１０】
次に、前記貴金属製品１の成形方法について説明する。まず、原型である小石Ｓの上下を軟質ゴムで挟み、プレス機により上下から加熱加圧して固定化させた後、原型を取出すことで原型の形と同一な形状の空洞を持つゴム型が成形される。このゴム型をぴつたりと合わせると共にその空洞へ液状のワツクスを注入して固化させる。そして、ゴム型を開き成型されたワツクス原型を取り出す。この作業を繰返すことにより一組のゴム型より同一形状のワツクス原型が複数成形される。
【００１１】
複数成形された前記各ワツクス原型を湯道でツリー状に相互につないでワツクスツリーを成形し、このワツクスツリーを鋳型容器に入れ、この中に水溶した石膏等の埋没材を注入する。そして、埋没材中の気泡を取除いて自然乾燥させる。この後、固化した埋没材を電気炉で加熱しワツクスツリーを完全燃焼して鋳型が成形される。
【００１２】
前記鋳型を遠心鋳造機にセツトして金、銀、白金等の溶融した貴金属を湯道から注入し、金属が固化してから鋳型を水中にて崩壊させ、ワツクスツリー状に連なった金属を取り出す。最後に、この金属の湯道を取り除くと共にその金属表面の酸化被膜を電解研磨し、更に研磨機で研ぎ出す。これにより、前記小石Ｓと同一形状の貴金属製品１が複数成形される。
【００１３】
このようにして成形された貴金属製品１はこのままでも良いが、前記したようにその表面に凹欠部６を穿設し、この凹欠部６にダイヤモンド７を埋設するようにしても良い。これにより、一つのアクセントが付けられ商品価値も増す。
【００１４】
出来あがった貴金属製品１は、前記鎖２を横孔３に挿通して取り付けペンダントＡとして使用に供される。また、ブローチ等の他の身飾品にも適用できること勿論である。そして、この貴金属製品１は、その原型である小石Ｓの形状が忠実に再現されて自然の良さが発揮され、自然界で作り出される特有の形状が表現できて斬新さがある。
【００１５】
【考案の効果】
以上説明したように本考案は、小石、貝、木の実等の自然界から採集される堅牢な採集物を原型とし、この原型によって前記採集物と同一の形状をなす貴金属製品を鋳造により成形するようにしたので、この貴金属製品を身飾品用として使用した場合、自然界で作り出される特有の形状が表現できて斬新さがあり、しかも、身体に付けることにより自然の良さが発揮されて良く馴染み、心地よい使用感ややすらぎが得られ、また周囲で見る人にもやすらぎが与えられるという効果がある。
【図面の簡単な説明】
【図１】本考案が適用されるペンダントの斜視図。
【図２】同要部の拡大斜視図。
【図３】同側面断面図。
【符号の説明】
１　　　　　　　　　貴金属製品
Ａ　　　　　　　　　身飾品（ペンダント）
Ｓ　　　　　　　　　採集物（小石）
【図１】
0003098178.tif 000003
【図２】
0003098178.tif 000004
【図３】
0003098178.tif 000005
【手続補正書】
【提出日】平成15年8月7日(2003.8.7)
【手続補正１】
【補正対象書類名】明細書
【補正対象項目名】全文
【補正方法】変更
【補正の内容】
【考案の詳細な説明】
【実用新案登録請求の範囲】
【請求項１】鋳造品からなる身飾品用の貴金属製品であって、自然界から採集された堅牢な小石を原型とし、この原型によって前記小石と同一の形状に成形した身飾品用の貴金属製品。
【請求項２】鋳造品からなる身飾品用の貴金属製品であって、自然界から採集された堅牢な貝を原型とし、この原型によって前記貝と同一の形状に成形した身飾品用の貴金属製品。
【請求項３】鋳造品からなる身飾品用の貴金属製品であって、自然界から採集された堅牢な木の実を原型とし、この原型によって前記木の実と同一の形状に成形した身飾品用の貴金属製品。
【請求項４】鋳造品からなる身飾品用の貴金属製品であって、自然界から採集された堅牢な小枝を原型とし、この原型によって前記小枝と同一の形状に成形した身飾品用の貴金属製品。
【考案の詳細な説明】
【０００１】
【考案の属する技術分野】
本考案は、鋳造品からなる貴金属製品であって、自然界から採集された堅牢な小石、貝、木の実または小枝を原型とし、この原型によって前記小石、貝、木の実または小枝と同一の形状に成形した身飾品用の貴金属製品に関するものである。
【０００２】
【従来の技術】
従来、例えば、ペンダント、ブローチ等の身飾品用として成形される金，銀、白金等の貴金属製品は、まずデザイナーが頭で考えたものを図面に描き、この図を元に立体化することにより原型を製作し、この原型を元に鋳造して貴金属製品を成形するようにしている（特許文献１参照。）。
【０００３】
【特許文献１】
実開平５−２８２１６号公報（第１−２頁、　図１）
【０００４】
【考案が解決しようとする課題】
しかしながら、前記特許文献１に係る貴金属製品は、その原型が加工を施して人為的に製作されており、見慣れた幾何学的な形状が多くてマンネリ化している。このため、斬新さに欠け、しかも、装飾性を重視する傾向が強いことから、身体に付けた感じがしっくり馴染まず、心地よい使用感が得られにくいという課題があった。
【０００５】
そこで、本考案は上記課題に鑑みてなされたもので、自然界から採集された堅牢な小石、貝、木の実または小枝を原型とし、この小石、貝、木の実または小枝と同一の形状をなす鋳造品を成形することにより、自然界で作り出される特有の形状が表現できて斬新さがあり、しかも、身体に付けることにより自然の良さが発揮されて体に良く馴染み、心地よい使用感ややすらぎが得られ、また周囲で見る人にもやすらぎが与えられるようにした身飾品用の貴金属製品を提供することを目的とするものである。
【０００６】
【課題を解決するための手段】
かかる目的を達成するため、本考案に係る身飾品用の貴金属製品は、鋳造品からなる貴金属製品であって、自然界から採集された堅牢な小石、貝、木の実または小枝を原型とし、この原型によって前記小石、貝、木の実または小枝と同一の形状に成形される。例えば、砂浜や河原に落ちている小石、貝または山に落ちている木の実、小枝など貴金属製品として適度な大きさであり、原型として支障なくそのまま使用できる程度の硬さを有する素材が選ばれる。また、このようにして成形された貴金属製品は、例えばペンダント、ブローチ、指輪、イヤリング等の身飾品に使用される。
【０００７】
【考案の実施の形態】
以下に本考案に係る身飾品用の貴金属製品の実施の形態を図面に基ずき説明する。本考案で使用する原型は、例えば砂浜や河原に落ちている小石、貝または山に落ちている木の実、小枝といった堅牢なものであって、しかも身飾品用の貴金属製品として適度な大きさのものが選ばれる。本実施の形態では、その内、砂浜に落ちている小石について説明する。この小石は、一般に波に洗われて丸みを有し人工的に成形したものでない自然界特有の形状を成している。前記小石は、原型として形状が変形せず、そのまま使用できる程度の硬さを有すればよく、自然界で採取されるものであれば前記小石、貝、木の実以外のものであってもよい。
【０００８】
図１は本考案が適用されるペンダントの斜視図である。このペンダントＡは鋳造品として成形される貴金属製品１と該貴金属製品１を吊り下げるための鎖２とから構成される。貴金属製品１は金、銀、白金等の貴金属を用いて図２に示すように自然界から採集された小石Ｓを原型として成形されている。この貴金属製品１は、前記小石Ｓと同一形状に成形されており、正面から見て略楕円形状を成すと共に左右非対称であって、その外周縁は上部よりも下部の方が大径の弧を有するようになっている。
【０００９】
そして、図３に示すように貴金属製品１の上部に横孔３が貫設され、該横孔３に鎖２が挿通されている。鎖２は、首に掛けられる程度の長さを有し、両端部に互いに掛け止めする掛止環４と掛止部材５が設けられている。また、前記貴金属製品１には、表面一個所に凹欠部６が穿設され、該凹欠部６に一個のダイヤモンド７が前側から見られるようにして埋設されている。
【００１０】
次に、前記貴金属製品１の成形方法について説明する。まず、原型である小石Ｓの上下を軟質ゴムで挟み、プレス機により上下から加熱加圧して固定化させた後、原型を取出すことで原型の形と同一な形状の空洞を持つゴム型が成形される。このゴム型をぴつたりと合わせると共にその空洞へ液状のワツクスを注入して固化させる。そして、ゴム型を開き成型されたワツクス原型を取り出す。この作業を繰返すことにより一組のゴム型より同一形状のワツクス原型が複数成形される。
【００１１】
複数成形された前記各ワツクス原型を湯道でツリー状に相互につないでワツクスツリーを成形し、このワツクスツリーを鋳型容器に入れ、この中に水溶した石膏等の埋没材を注入する。そして、埋没材中の気泡を取除いて自然乾燥させる。この後、固化した埋没材を電気炉で加熱しワツクスツリーを完全燃焼して鋳型が成形される。
【００１２】
前記鋳型を遠心鋳造機にセツトして金、銀、白金等の溶融した貴金属を湯道から注入し、金属が固化してから鋳型を水中にて崩壊させ、ワツクスツリー状に連なった金属を取り出す。最後に、この金属の湯道を取り除くと共にその金属表面の酸化被膜を電解研磨し、更に研磨機で研ぎ出す。これにより、前記小石Ｓと同一形状の貴金属製品１が複数成形される。
【００１３】
このようにして成形された貴金属製品１はこのままでも良いが、前記したようにその表面に凹欠部６を穿設し、この凹欠部６にダイヤモンド７を埋設するようにしても良い。これにより、一つのアクセントが付けられ商品価値も増す。
【００１４】
出来あがった貴金属製品１は、前記鎖２を横孔３に挿通して取り付けペンダントＡとして使用に供される。また、ブローチ等の他の身飾品にも適用できること勿論である。そして、この貴金属製品１は、その原型である小石Ｓの形状が忠実に再現されて自然の良さが発揮され、自然界で作り出される特有の形状が表現できて斬新さがある。
【００１５】
【考案の効果】
以上説明したように本考案は、自然界から採集される堅牢な小石、貝、木の実または小枝を原型とし、この原型によって前記小石、貝、木の実または小枝と同一の形状をなす貴金属製品を鋳造により成形するようにしたので、この貴金属製品を身飾品用として使用した場合、自然界で作り出される特有の形状が表現できて斬新さがあり、しかも、身体に付けることにより自然の良さが発揮されて良く馴染み、心地よい使用感ややすらぎが得られ、また周囲で見る人にもやすらぎが与えられるという効果がある。
【図面の簡単な説明】
【図１】本考案が適用されるペンダントの斜視図。
【図２】同要部の拡大斜視図。
【図３】同側面断面図。
【符号の説明】
１　　　　　　　　　貴金属製品
Ａ　　　　　　　　　身飾品（ペンダント）
Ｓ　　　　　　　　　小石